(57)【要約】【課題】スキャナ装置を、原稿を読み取る用途に使用しないときでも有用なものにする。【解決手段】画像形成装置１のスキャナ装置１０は、原稿台２に載置された原稿を操作して読み取るスキャンユニット１１とスキャナ装置１０の動作を制御する制御部３０とを備えている。スキャンユニット１１は、原稿台２の所定の範囲を照明する線状光源１２と、線状光源１２により照明されている範囲を撮像する撮像装置１３を有している。制御部３０は、スキャンユニット１１を制御して、原稿を読み取るスキャン機能と照明機能を実行する。照明機能では、制御部３０は、スキャンユニット１１を原稿台２の略中央に移動させて、線状光源１２を点灯させて原稿台２の上方を照明する。スキャナ装置１０は、原稿を読み取る用途に使用しないときに、照明用途に用いることが可能になる。【選択図】図１
2007194685.tif 000002
【特許請求の範囲】
【請求項１】
上面に矩形開口が形成された筐体と、
透光性材料で形成され、前記筐体の開口に装着された平板状の原稿台と、
前記筐体の内部に、主走査方向が長手方向となるように、前記原稿台の内面に上面が当接するように配されており、原稿台の主走査方向及び主走査方向に直交する副走査方向の所定の範囲を照明する複数の発光色の発光ダイオードにより構成された照明手段と、この照明手段により照明された所定の範囲の画像を撮像する撮像手段とを有し、副走査方向に移動されることにより前記原稿台に載置された原稿を画像データとして読み取るスキャンユニットと、
前記スキャンユニットを副走査方向に移動させる駆動手段と、
前記スキャンユニットにより読み取られた画像データ、又は外部から入力された画像データに基いて、記録紙に画像を形成する画像形成手段と、
前記スキャンユニットによる読み取り動作及び画像形成手段による画像形成動作を制御する制御部とを備えた画像形成装置において、
前記制御部は、画像データの読み取り又は画像形成動作を行わないときに、前記スキャンユニットを前記原稿台の略中央に移動させて、前記照明手段を、外部から設定された所定の点灯色、点灯時間、及び点灯パターンに基づいて点灯制御する照明機能を有しており、
前記照明手段を点灯制御中に、前記点灯時間が経過した時、又は外部から所定の操作が加えられたことを検出したときには、照明手段の点灯制御を終了して、照明機能を終了し、画像データの読み取り又は画像形成動作に備えることを特徴とする画像形成装置。
【請求項２】
上面に矩形開口が形成された筐体と、
透光性材料で形成され、前記筐体の開口に装着された平板状の原稿台と、
前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、
前記スキャンユニットを副走査方向に移動させる駆動手段と、
前記スキャンユニットによる読み取り動作を制御する制御部とを備えたスキャナ装置において、
前記制御部は、画像データの読み取りを行わないときに、前記スキャンユニットを前記原稿台の略中央に移動させて、前記照明手段を点灯させる照明機能を有することを特徴とするスキャナ装置。
【請求項３】
前記制御部は、前記照明手段の点灯色又は点灯時間が外部から設定可能に構成されていることを特徴とする請求項２に記載のスキャナ装置。
【発明の詳細な説明】
【技術分野】
【０００１】
本発明は、スキャンユニットにより原稿台上に載置された原稿を走査して画像データとして読み取る機能を有するスキャナ装置と、それを用いた画像形成装置に関する。
【背景技術】
【０００２】
従来より、例えばＣＩＳ（Contact Image Sensor）等のスキャンユニットにより、原稿台上に載置された原稿を画像データとして読み取るスキャナ装置が使用されている（例えば、特許文献１参照）。このようなスキャナ装置は、例えば記録紙に画像を形成する画像形成装置と一体に用いられたり、外部のパーソナルコンピュータ等に接続されて用いられる。スキャンユニットは、例えばＬＥＤ等により原稿台状の原稿を照明する照明手段と、原稿の照明された範囲を撮像する撮像手段とを備えている。そして、このスキャンユニットを所定の方向に移動させながら原稿の表面を撮像することにより、原稿を画像データとして読み取り可能に構成されている。
【０００３】
ところで、このようなスキャナ装置やスキャナ装置を搭載した画像形成装置は、原稿を読み取るためには有用で便利なものであるという長所があるが、ユーザによっては使用する機会が少ないものである。その一方で、広い設置スペースを占有するという短所があり、スキャナ装置等は、ユーザにとって、その長所よりも短所のほうが大きく感じられることがあるという問題がある。
【特許文献１】特開２００５−１３０１１８号公報
【発明の開示】
【発明が解決しようとする課題】
【０００４】
本発明は、上記問題点を鑑みてなされたものであり、原稿を読み取る用途に使用しないときにも有用であるスキャナ装置及びそれを用いた画像形成装置を提供することを目的とする。
【課題を解決するための手段】
【０００５】
上記目的を達成するため請求項１の発明は、上面に矩形開口が形成された筐体と、透光性材料で形成され、前記筐体の開口に装着された平板状の原稿台と、前記筐体の内部に、主走査方向が長手方向となるように、前記原稿台の内面に上面が当接するように配されており、原稿台の主走査方向及び主走査方向に直交する副走査方向の所定の範囲を照明する複数の発光色の発光ダイオードにより構成された照明手段と、この照明手段により照明された所定の範囲の画像を撮像する撮像手段とを有し、副走査方向に移動されることにより前記原稿台に載置された原稿を画像データとして読み取るスキャンユニットと、前記スキャンユニットを副走査方向に移動させる駆動手段と、前記スキャンユニットにより読み取られた画像データ、又は外部から入力された画像データに基いて、記録紙に画像を形成する画像形成手段と、前記スキャンユニットによる読み取り動作及び画像形成手段による画像形成動作を制御する制御部とを備えた画像形成装置において、前記制御部は、画像データの読み取り又は画像形成動作を行わないときに、前記スキャンユニットを前記原稿台の略中央に移動させて、前記照明手段を、外部から設定された所定の点灯色、点灯時間、及び点灯パターンに基づいて点灯制御する照明機能を有しており、前記照明手段を点灯制御中に、前記点灯時間が経過した時、又は外部から所定の操作が加えられたことを検出したときには、照明手段の点灯制御を終了して、照明機能を終了し、画像データの読み取り又は画像形成動作に備えるものである。
【０００６】
請求項２の発明は、上面に矩形開口が形成された筐体と、透光性材料で形成され、前記筐体の開口に装着された平板状の原稿台と、前記筐体の内部に、主走査方向が長手方向となるように、前記原稿台の内面に上面が当接するように配されており、原稿台の主走査方向及び主走査方向に直交する副走査方向の所定の範囲を照明する照明手段と、この照明手段により照明された所定の範囲の画像を撮像する撮像手段とを有し、副走査方向に移動されることにより前記原稿台に載置された原稿を画像データとして読み取るスキャンユニットと、前記スキャンユニットを副走査方向に移動させる駆動手段と、前記スキャンユニットによる読み取り動作を制御する制御部とを備えたスキャナ装置において、前記制御部は、画像データの読み取りを行わないときに、前記スキャンユニットを前記原稿台の略中央に移動させて、前記照明手段を点灯させる照明機能を有するものである。
【０００７】
請求項３の発明は、請求項２の発明において、前記制御部は、前記照明手段の点灯色又は点灯時間が外部から設定可能に構成されているものである。
【発明の効果】
【０００８】
請求項１の発明によれば、制御部が、スキャンユニットを原稿台の略中央に移動させて、照明手段を点灯させる照明機能を有しているので、画像形成装置を、原稿を読み取る用途や記録紙に画像を形成する用途に用いないときにも、室内等の照明用途に用いることが可能となる。従って、通常、使用頻度の低い画像形成装置をより有用なものにすることが可能となる。また、制御部は、例えば、Ｒ、Ｇ、Ｂの３色の発光ダイオード等で構成された照明手段を外部から設定された所定の点灯色、点灯時間、及び点灯パターンに基づいて点灯制御するので、さまざまな点灯態様で室内等を照明させることが可能となり、照明機能がより有用な機能になる。さらにまた、制御部は、照明手段を点灯制御中に外部から所定の操作が加えられたことを検出したときには照明手段の点灯制御を終了し、画像データの読み取り又は画像形成動作に備えるので、原稿を読み取る用途や記録紙に画像を形成する用途に用いるときに、ユーザが手動操作等を行って照明機能を停止させる必要が無く、画像形成装置がより容易に使用可能なものとなる。
【０００９】
請求項２の発明によれば、制御部が、スキャンユニットを原稿台の略中央に移動させて、照明手段を点灯させる照明機能を有しているので、上述と同様に、画像形成装置を、室内等の照明用途に用いることが可能な、より有用なものにすることが可能となる。
【００１０】
請求項３の発明によれば、制御部は、照明手段を外部から設定された所定の点灯色及び点灯時間に基づいて点灯制御するので、さまざまな態様で室内等を照明させることが可能となり、照明機能がより有用な機能になる。
【発明を実施するための最良の形態】
【００１１】
以下、本発明の一実施形態について図面を参照して説明する。図１は、本実施形態に係るスキャナ装置を搭載した画像形成装置を示す。この画像形成装置１は、いわゆるプリンタ複合機であり、例えば外部のパーソナルコンピュータ等に接続されて用いられるようなものである。この画像形成装置１は、例えば、筐体１００の上部のスキャナ装置１０と、下部の画像形成部２０と、スキャナ装置１０と画像形成部２０の動作を所定の動作モードで制御する、例えばＡＳＩＣやメモリ等により構成された制御部３０とを備えている。
【００１２】
図に示すように、筐体１００のスキャナ装置１０の上部には、筐体１００の上面を覆うように、原稿押さえ板１１０がヒンジ１１０ａによって回動可能に設けられている。この原稿押さえ板１１０の筐体１００の上面に対向する面には、後述のように載置される原稿を押さえるためのパッド１１１が取り付けられている。筐体１００の後方上部には、記録紙Ｐが装填される給紙トレイ１２０が設けられており、筐体１００の前面には、後述するような画像形成部２０のプリント機能により画像が形成された記録紙Ｐが排出される排紙トレイ１３０が設けられている。筐体１００の上部の手前側には、例えば外部から操作可能な操作ボタン３１ａと画像形成装置１の状態等を表示する機能を有する表示部３１ｂとを有する操作パネル部３１が設けられている。この画像形成装置１は、例えばユーザによる操作ボタン３１ａの操作や、外部のパーソナルコンピュータ等から送信されたコマンド等に基いて、制御部３０により所定の動作モードで制御されるように構成されている。なお、操作パネル部３１の位置及び構成や、給紙トレイ１２０、排紙トレイ１３０の位置等は、これに限られるものではない。
【００１３】
この画像形成装置１は、記録紙Ｐに画像を形成するプリント機能、スキャナ装置１０により原稿を読み取るスキャン機能、スキャン機能により得られた画像データをパーソナルコンピュータに送信する機能等、種々の機能を有している。これらの種々の機能は、例えばユーザが操作パネル部３１の操作ボタン３１ａを操作したり、外部のパーソナルコンピュータ等から所定のコマンドを送信したりして、制御部３０の動作モードを、電源オン時の待機状態である待機モードから変更することにより実行可能に構成されている。例えば、スキャナ装置１０により原稿を読み取るときには、制御部３０の動作モードが待機モードからスキャンモードに変更されてスキャン機能が実行される。
【００１４】
スキャナ装置１０が行うスキャン機能は、後述するように、筐体１００の内部に主走査方向（図の矢印Ａ）が長手方向になるように配されたスキャンユニット１１を主走査方向と直交する副走査方向（図の矢印Ｂ）に移動させて、スキャンユニット１１に原稿を走査させて実行される。画像形成部２０が行うプリント機能は、スキャナ装置１０により読み取られた画像データ、又は外部から入力された画像データに基いて、筐体１００の内部に搬送された記録紙Ｐ上に、例えばインクジェット方式により画像を形成するものである。給紙トレイ１２０に装填された記録紙Ｐの筐体１００の内部への搬送動作や、画像が形成された記録紙Ｐを排紙トレイ１３０に排出させる動作は、画像形成部２０の記録紙搬送部（図示なし）により行われる。なお、画像形成部２０は、例えばレーザビームプリンタのような電子写真方式により画像を形成するものであってもよく、特定の方式に限られるものではない。
【００１５】
図２は、スキャナ装置１０を示す。図の矢印Ａ，Ｂは、図１に示す矢印Ａ，Ｂと同様に、それぞれこのスキャナ装置１０の主走査方向、副走査方向を示す。スキャナ装置１０の筐体１００の上部の上面には、矩形の開口１００ａが形成されている。この筐体１００の開口１００ａには、例えばガラス等の透光性材料で形成される平板状の原稿台２が装着されている。筐体１００の内部には、主走査方向（図の矢印Ａ方向）が長手方向となるように、原稿台２の内面に上面が当接するように配されたスキャンユニット１１と、筐体１００に取り付けられておりスキャンユニット１１を副走査方向（図の矢印Ｂ方向）に移動可能にガイドするシャフト１５と、スキャンユニット１１を副走査方向に移動させる駆動機構１６とが配置されている。駆動機構１６は、筐体１００内部に副走査方向に沿うように配されたベルト１６ａと、ベルト１６ａをプーリ等を介して回動させるモータ１６ｂとで構成されている。筐体１００の上面の内面の、原稿台２が設けられた部位の近傍には、黒色のパターン１８ａが設けられた例えば白色の調整シート１８が、主走査方向に沿って、スキャンユニット１１の上面と対向するように設けられている。この調整シート１８は、後述するように、スキャンユニット１１の位置等のキャリブレーションに用いられる。画像形成装置１が動作を実行していない待機状態であるときには、スキャンユニット１１は、この調整シート１８の下方近傍に停止されている。
【００１６】
図３は、スキャンユニット１１を示す。図の矢印Ａ，Ｂは、図１及び図２に示す矢印Ａ，Ｂと同様に、それぞれスキャナ装置１０の主走査方向、副走査方向を示す。スキャンユニット１１は、例えば、いわゆるＣＩＳ（Contact Image Sensor）であり、制御部３０とフラットケーブル１１ａを介して接続される。スキャンユニット１１の上部には、主走査方向に沿って設けられた線状光源（照明手段）１２と、線状光源１２に平行に設けられた撮像装置（撮像手段）１３が設けられている。また、スキャンユニット１１の上面の主走査方向の両端には、スキャンユニット１１の上面から所定の高さ（例えば０．１ｍｍ程度）だけ盛り上がるような、スペーサ１１ｂが設けられている。このスペーサ１１ｂは、スキャンユニット１１が筐体１００の内部に配された状態で原稿台２の内面と当接するものであり、原稿台２の内面との間で摩擦抵抗が少なく、磨り減りにくいような材質の樹脂等により形成されている。すなわち、スキャンユニット１１は、スペーサ１１ｂが原稿台２の内面と当接することにより、原稿台２との間隔が常に一定に保たれるように構成されている。
【００１７】
スキャンユニット１１の線状光源１２は、スキャンユニット１１の主走査方向の一端部に設けられた発光部１２ａと、発光部１２ａからの光を導光してスキャンユニット１１の上面から略上方に線状に放射させる導光レンズ１２ｂとで構成されている。すなわち、線状光源１２は、発光部１２ａからの光を導光レンズ１２ｂにより導光させることにより、原稿台２の、副走査方向に所定幅で、主走査方向の全域の領域を略均一な明るさで照明する。本実施形態において、発光部１２ａは、例えば緑色、赤色、青色の発光色でそれぞれ発光する３個のＬＥＤ（発光ダイオード）により構成されており、スキャナ装置１０でカラー原稿を読み取り可能となるように構成されている。すなわち、発光部１２ａは、３個のＬＥＤそれぞれの発光量を変化させることにより、発光部１２ａ全体の発光色を、白色やその他の種々の色に調整することが可能なものである。なお、線状光源１２の構成はこれに限られるものではなく、例えば上述のような発光部１２ａを複数有しており、導光レンズ１２ｂがそれぞれからの光をスキャンユニット１１の上面に導光するものであってもよく、また、例えばＬＥＤ等をスキャンユニット１１の上方に発光するように主走査方向に配列した構成であってもよい。また、発光部１２ａは、上述のように発光色を変更可能に構成されたものではなく、例えば緑色など、単色光のみで発光するように構成されていてもよい。
【００１８】
撮像装置１３は、微小レンズを主走査方向に配列したレンズアレイと、各レンズに対応して主走査方向に受光素子を配列した受光素子アレイで構成されている。各レンズは、原稿台２の外面に焦点が合わされており、原稿台２の外面に密着するように載置される原稿のうち、線状光源１２により照明された所定の範囲の像を各受光素子の受光面に結像させて、各受光素子によりその所定の範囲の画像を撮像する。このスキャンユニット１１は、駆動機構１６のベルト１６ａの一部に接続されている。そして、スキャン機能の実行時には、ベルト１６ａの回動に伴い副走査方向に移動しながら原稿台２上の原稿の画像を撮像し、撮像した画像データを、フラットケーブル１１ａを介して制御部３０へ送信するように構成されている。
【００１９】
次に、画像形成装置１のスキャン機能実行時の動作について説明する。スキャン機能は、画像形成装置１が待機状態であるときに、ユーザが操作ボタン３１ａを操作したり、外部のパーソナルコンピュータを操作することにより、制御部３０の動作モードをスキャンモードにすることにより実行される。スキャン機能が実行されるときには、スキャンユニット１１により原稿を読み取る前に、スキャンユニット１１のキャリブレーションが行われる。スキャンユニット１１のキャリブレーションでは、スキャンユニット１１が調整シート１８の下方に移動され、この調整シート１８上が読み取られる。このとき、制御部３０は、読み取ったパターン１８ａの位置を基準として、スキャンユニット１１と原稿台２との位置関係を正確に把握する。また、このキャリブレーション時には、白い調整シート１８と黒いパターン１８ａを読み取った結果に基づいて、発光部１２ａの各色のＬＥＤの発光光量のバランスが調整され、原稿を適切に読み取ることができるように構成されている。スキャンユニット１１のキャリブレーションが終了すると、制御部３０は、上述のように駆動機構１６によりスキャンユニット１１を副走査方向に移動させて、原稿台２に載置された原稿を撮像装置１３を用いて画像データとして読み取る。原稿の読み取りが終了すると、スキャンユニット１１は再び調整シート１８の近傍に移動されて停止され、制御部３０が待機状態となる。
【００２０】
ここで、この画像形成装置１は、上述のスキャン機能やプリント機能の他に、例えばユーザが就寝時等に間接照明として利用可能な照明機能を有している。以下に、この照明機能について説明する。
【００２１】
画像形成装置１の照明機能は、スキャンユニット１１の線状光源１２を点灯させることにより行われる。この照明機能は、スキャン機能等と同様に、ユーザが操作パネル部３１の操作ボタン３１ａを操作されたときに、制御部３０の制御により実行される。本実施形態において、照明機能を実行するときには、ユーザは、予め、原稿押さえ板１１０を上方に回動させ、筐体１００の上面を外部に開放させておく。そして、操作ボタン３１ａ等を操作することにより、制御部３０の動作モードを待機モードから照明モードに変更する。動作モードが照明モードに変更されると、ユーザは、照明の点灯色と、点灯時間と、例えば点滅点灯の有無等の点灯パターンを操作ボタン３１ａを操作して設定する。このとき、制御部３０により、ユーザが設定可能な点灯色及び点灯時間の選択肢が表示部３１ｂに表示され、ユーザは、表示部３１ｂに表示された選択肢の１つを操作ボタン３１ａの操作により選択することにより点灯色、点灯時間、及び点灯パターン等を設定可能に構成されている。ユーザにより点灯色、点灯時間及び点灯パターンが設定されると、制御部３０は、以下に説明するように照明機能を実行させる。
【００２２】
先ず、制御部３０は、駆動機構１６を駆動してスキャンユニット１１を原稿台２の略中央に移動させて停止させる。そして、スキャンユニット１１が移動されると、発光部１２ａを、上述のようにユーザが設定した点灯色及び点灯パターンにより発光させる。これにより、線状光源１２が点灯して、原稿台２の上方が照明される。発光部１２ａが発光されてから、ユーザが設定した点灯時間が経過すると、制御部３０は、発光部１２ａの発光を中止して線状光源１２の点灯を終了する。すなわち、制御部３０は、線状光源１２を、ユーザにより設定された所定の点灯色及び点灯時間に基づいて点灯制御する。制御部３０は、線状光源１２の発光を中止させた後、駆動機構１６を駆動してスキャンユニット１１を調整シート１８の近傍に移動させ、動作モードを待機モードにする。
【００２３】
ここで、本実施形態において、制御部３０は、線状光源１２を点灯制御中に、画像形成装置１の外部から所定の操作が加えられたことを検出したときにも、線状光源１２の点灯制御を終了するように構成されている。例えば、上述のように照明機能を実行中に、新たに給紙トレイ１２０に記録紙Ｐが装填されたことを給紙トレイ１２０に設けられた記録紙センサ（図示せず）が検出したり、画像形成部２０の、記録紙Ｐに画像を形成するために用いられるインクカートリッジ等を交換するための操作が行われたり、また、操作パネル部３１の操作ボタン３１ａに何らかの操作が加えられたこと等を検出したときには、制御部３０が照明機能を終了させて、画像形成装置１が待機状態に戻り、画像データの読み取り又は画像形成動作に備える。また、照明機能を実行中に、スキャンモードやプリントモードに変更されるようなときにも、制御部３０は照明機能を終了させて、変更された動作モードに基づいて制御を行う。従って、照明機能を実行させている状態から、画像形成装置１を原稿を読み取る用途や記録紙に画像を形成する用途に用いるときに、ユーザは手動操作等を行って照明機能を停止させる必要が無くなり、画像形成装置がより容易に使用可能なものになる。
【００２４】
上述のように、本実施形態においては、画像形成装置１を、原稿を読み取る用途や記録紙Ｐに画像を形成する用途に用いないときにも、照明機能を実行させて室内等の照明用途に用いることが可能となる。従って、画像形成装置１をより有用なものにすることが可能となる。また、制御部３０は、線状光源１２を外部のユーザにより設定された所定の点灯色、点灯時間、及び点灯パターン等に基づいて点灯制御するので、さまざまな点灯態様で室内等を照明させることが可能となり、照明機能をより有用な機能にすることが可能になる。
【００２５】
図４は、画像形成装置１の照明機能の使用例を示す。この例では、図に示すように、照明機能において点灯される線状光源１２からの光を、例えば原稿台２上に載置されたすりガラス製のドーム型の透光ドーム３００により外部に透光させる。このようなすりガラス状のものを用いて照明機能を実行することにより、照明機能実行時に照明するために点灯された光が、ぼんやりと外部を照明するようになる。このように、スキャナ装置１０とは別体の透光体を用いることにより、画像形成装置１を用いた照明を、より見栄え良くすることが可能となる。なお、照明機能実行時には、このような透光体を用いるほかにも、例えば原稿押さえ板１１０のパッド１１１上に、光を反射するような反射板を取り付けて、線状光源１２による光を例えば前方に向けて反射させるような構成にしたり、パッド１１１上に写真等を貼り付けて、線状光源１２によりその写真が照明されるような構成にしてもよい。すなわち、透光体や、反射板や、写真等と組み合わせて照明機能を実行することにより、画像形成装置１を照明目的等に合わせてより有用に用いることが可能になる。
【００２６】
なお、本発明は上記実施形態の構成に限定されるものではなく、発明の趣旨を変更しない範囲で適宜に種々の変形が可能である。例えば、照明機能は、例えばユーザが外部のパーソナルコンピュータ等を操作して画像形成装置に所定のコマンドを送信することにより実行可能に構成されていてもよい。また、照明機能の点灯色、点灯時間、点灯パターンを、ユーザが任意に設定可能に構成されていてもよく、また、点灯色、点灯時間、点灯パターン等の設定が不要であって、例えば常に同じ点灯色で所定の点灯時間だけ点灯させるように構成されていてもよい。さらにまた、一旦照明機能が実行されると、ユーザ等の操作により終了されるまで線状光源１２が点灯を続けるような構成であってもよい。
【００２７】
さらに、本発明は、上述のようなスキャナ装置１０と画像形成部２０とを一体に有する画像形成装置１のみに適用されるものではなく、例えばスキャナ装置１０単体で用いられ、外部のパーソナルコンピュータ等と接続され、原稿を画像データとして読み取るようなものについても適用可能なものである。この場合でも、上述と同様に、スキャナ装置１０を、原稿を読み取る用途に使用しないときにも照明用途に使用可能な有用なものにすることが可能となる。
【図面の簡単な説明】
【００２８】
【図１】本発明の一実施形態に係る画像形成装置の斜視図。
【図２】同画像形成装置のスキャナ装置の上面図。
【図３】同スキャナ装置のスキャンユニットの斜視図。
【図４】同画像形成装置の照明機能の一使用例を示す斜視図。
【符号の説明】
【００２９】
１  画像形成装置
２  原稿台
１０  スキャナ装置
１１  スキャンユニット
１２  線状光源（照明手段）
１２ｂ  ＬＥＤユニット（発光ダイオード）
１３  撮像素子（撮像手段）
１６  駆動機構（駆動手段）
２０  画像形成部
３０  制御部
３１  操作パネル
１００  筐体
１００ａ  開口
Ａ  主走査方向
Ｂ  副走査方向
Ｐ  記録紙
【図１】
2007194685.tif 000003
【図２】
2007194685.tif 000004
【図３】
2007194685.tif 000005
【図４】
2007194685.tif 000006